(57)【要約】  【課題】  バイブレーション機能を有する携帯端末装置において、触覚等の感覚によって瞬時にして各種情報を識別できるようにする。  【解決手段】  携帯端末装置１は、それぞれ振動の大きさが異なる第１〜第４の振動機８１，８２，８３，８４を有する振動部８を備える。制御部２は、操作部４に設けられたテンキーの各キーに対応して、予め設定された１または２以上の振動機８１，８２，８３，８４を駆動することで、操作入力されたキーに対応した振動を発生させるとともに、入力された情報を表示部６に表示させる。各キーと動作させる振動機８１，８２，８３，８４の組み合わせとの対応データは、記憶部７に予め記憶されており、各キー（１〜９，＊，０，＃）の操作に応じて第１〜第４の振動機８１，８２，８３，８４のオンオフの組み合わせで異なる大きさの振動が発生される。【選択図】  図１
2006157642.tif 000002
【特許請求の範囲】
【請求項１】
振動により情報の報知を行うバイブレーション機能を有する携帯端末装置であって、
前記振動を発生する複数の振動機と、
前記報知すべき情報に対応して前記複数の振動機のうちの予め設定された１または２以上の振動機を動作させる制御部と
を備える携帯端末装置。
【請求項２】
請求項１に記載の携帯端末装置であって、
前記複数の振動機は、それぞれ異なる振動を発生させるものである携帯端末装置。
【請求項３】
請求項１または２に記載の携帯端末装置であって、
各種操作入力が可能な操作部を有し、
前記制御部は、前記操作部の各種操作入力に対して前記複数の振動機のうちの一つまたは組み合わせによる振動の大きさが異なる振動を発生させて報知する携帯端末装置。
【請求項４】
請求項１または２に記載の携帯端末装置であって、
外部リーダ／ライタと無線通信を行う非接触型ＩＣ通信部を有し、
前記制御部は、前記非接触型ＩＣ通信部の使用に関する情報を、前記複数の振動機のうちの一つまたは組み合わせによる振動の大きさが異なる振動を発生させて報知する携帯端末装置。
【請求項５】
請求項１または２に記載の携帯端末装置であって、
当該携帯端末装置において用いるデータを保存する記憶部を有し、
前記制御部は、前記記憶部の残量に関する情報を、前記複数の振動機のうちの一つまたは組み合わせによる振動の大きさが異なる振動を発生させて報知する携帯端末装置。
【発明の詳細な説明】
【技術分野】
【０００１】
本発明は、振動により報知を行うバイブレーション機能を有し、各種情報を触覚等の感覚によって認知可能にした携帯端末装置に関する。
【背景技術】
【０００２】
従来、携帯電話装置等の携帯端末装置において、バイブレータの振動パターンから発信元を特定できるようにすることが提案されている。また、バイブレータの振動パターンにより音声着信と電子メール着信とを区別して報知することが提案されている。さらに、発信者番号非通知の場合に、バイブレータの振動態様によって非通知の理由を認識できるようにした無線端末が提案されている（特許文献１参照）。
【０００３】
また、携帯端末装置に内蔵された非接触型ＩＣカードモジュールの利用時に、通信処理が行われていることをユーザに知らせる手段の１つとして、振動手段（バイブレータ）を用いることが提案されている（特許文献２参照）。また、自動改札装置からの改札判定結果に基づきバイブレータの動作を制御し、バイブレータにより改札判定結果を通知するようにした無線携帯端末が提案されている（特許文献３参照）。
【０００４】
図６は、従来の振動により情報の表示を行うバイブレーション機能を有する携帯端末装置の一構成例を示す図である。従来の携帯端末６１は、非接触ＩＣ通信部（非接触ＩＣカード部）６９、記憶部６７、制御部６２、無線部６３、操作部６４、表示部６６、振動部６８を有して構成されている。記憶部６７には、着信の相手を識別するため、着信の相手によってそれぞれ異なる振動パターンが記憶されており、制御部６２は、着信の相手に従い、記憶部に記憶しておいた振動パターンで振動部６８を振動させ、着信者に相手の情報を触覚的に認識させることができる。
【０００５】
また、非接触ＩＣ通信部（非接触ＩＣカード部）６９は、内蔵の無線装置６９１を介して図示しない外部リーダ／ライタとの間で無線通信を実行中または実行後にその旨を制御部６２に通知し、制御部６２は振動部６８を利用して、非接触ＩＣ通信部（非接触ＩＣカード部）６９と図示しない外部リーダ／ライタとの間で無線通信を実行したことをユーザに伝えることができる。
【０００６】
【特許文献１】特開２００１−２７４８７４号公報
【特許文献２】特開２００３−６０７４８号公報
【特許文献３】特開２００３−３０３３６０号公報
【発明の開示】
【発明が解決しようとする課題】
【０００７】
前述したように、携帯端末装置において各種情報をバイブレータの振動パターンによって表現することが種々提案されているが、従来は単一のバイブレータを用いて、一定時間の振動回数や振動の長さで各種情報を識別するようにしているため、各種情報を識別するには一定の時間を要するという課題がある。また、識別すべき項目が多いほど振動パターンが複雑にならざるを得ず、瞬時（短時間）に情報を認識することが困難になるおそれがある。
【０００８】
本発明は、上記事情に鑑みてなされたもので、振動手段を用いて触覚等の感覚によって瞬時にして各種情報を識別させることが可能な携帯端末装置を提供することを目的とする。
【課題を解決するための手段】
【０００９】
本発明の携帯端末装置は、振動により情報の報知を行うバイブレーション機能を有する携帯端末装置であって、前記振動を発生する複数の振動機と、前記報知すべき情報に対応して前記複数の振動機のうちの予め設定された１または２以上の振動機を動作させる制御部とを備えるものである。
これにより、複数の振動機のオンオフを組み合わせることによって異なる振動を発生させることができ、報知すべき情報について各々異なる情報に異なる振動を対応させることにより、使用者は瞬時にして触覚等の感覚によって情報の種類を判断することが可能となる。
【００１０】
また、本発明の一態様として、上記の携帯端末装置であって、前記複数の振動機は、それぞれ異なる振動を発生させるものとする。
これにより、各々の振動機を単独で振動させるだけで、異なる振動を発生させることができ、瞬時にして触覚等の感覚によって各種情報を識別することが可能となる。なお、例えば形状が異なる振動機を用いることで、例えば振幅（振動の大きさ）や周期（振動周波数）の異なる振動を発生させるようにしてもよい。また、例えば振動の方向が異なる振動を発生させるようにしてもよい。
【００１１】
また、本発明の一態様として、上記の携帯端末装置であって、各種操作入力が可能な操作部を有し、前記制御部は、前記操作部の各種操作入力に対して前記複数の振動機のうちの一つまたは組み合わせによる振動の大きさが異なる振動を発生させて報知するものとする。
これにより、操作者が操作部によりどの入力操作を行ったかを振動の大きさによって瞬時に確認することができる。
【００１２】
また、本発明の一態様として、上記の携帯端末装置であって、外部リーダ／ライタと無線通信を行う非接触型ＩＣ通信部を有し、前記制御部は、前記非接触型ＩＣ通信部の使用に関する情報を、前記複数の振動機のうちの一つまたは組み合わせによる振動の大きさが異なる振動を発生させて報知するものとする。
これにより、使用者は、非接触型ＩＣ通信部の使用に関する各種の情報を振動の大きさによって瞬時に認識することができる。例えば、電子マネー等のおおよその使用額や残額等を瞬時に触覚等の感覚によって認知することが可能となる。
【００１３】
また、本発明の一態様として、上記の携帯端末装置であって、当該携帯端末装置において用いるデータを保存する記憶部を有し、前記制御部は、前記記憶部の残量に関する情報を、前記複数の振動機のうちの一つまたは組み合わせによる振動の大きさが異なる振動を発生させて報知するものとする。
これにより、例えば画像や音楽などのデータを記憶部に保存する前や保存した後に、記憶部の残量に関する情報等を振動の大きさによって瞬時に認識することが可能となる。
【発明の効果】
【００１４】
本発明によれば、振動手段を用いて触覚等の感覚によって瞬時にして各種情報を識別させることが可能な携帯端末装置を提供できる。
【発明を実施するための最良の形態】
【００１５】
（第１の実施形態）
図１は本発明の第１の実施形態に係る携帯端末装置のブロック図である。第１の実施形態の携帯端末装置１は、操作部２での各種入力操作に対応して振動の大きさの異なる振動を発生させることで、どの入力操作を行ったかを確認できるようにしたものである。
【００１６】
この携帯端末装置１は、各種動作を制御する制御部２と、各種情報を入手するための無線部３と、各種操作を行う操作部４と、受信などを知らせることのできるスピーカ部５と、各種情報を表示する表示部６と、各種情報を記憶する記憶部７と、この携帯端末装置１に振動を与える振動部８とを有して構成される。
【００１７】
操作部４は、電話番号等を入力するためのテンキー（ダイヤルキー）を備える。振動部８には、それぞれ振動の大きさが異なる第１〜第４の振動機８１，８２，８３，８４が設けられている。制御部２は、操作部４によって入力操作がなされると、操作されたキーに対応して予め設定された１または２以上の振動機８１，８２，８３，８４を駆動することで、各キーに対応した振動を発生させるとともに、入力された情報（数字等）を表示部６に表示させる。各キーと動作させる振動機８１，８２，８３，８４との対応データは、記憶部７に予め記憶されている。
【００１８】
図２は第１の実施形態に係る携帯端末装置における操作部の各キーと各キーが操作されたときの振動を発生する各振動機との関係を示す図である。図２に示すように、操作部４の各キー（１〜９，＊，０，＃）を列方向および行方向に分け、第１列目のキー（１，４，７，＊）を押下したときには第１振動機８１が振動し、第２列目のキー（２，５，８，０）を押下したときには第２振動機８２が振動し、第３列目のキー（３，６，９，＃）を押下したときには第１振動機８１と第２振動機８２がともに振動する。また、第２行目のキー（４，５，６）を押下したときには第３振動機８３が振動し、第３行目のキー（７，８，９）を押下したときには第４振動機８４が振動し、第４行目のキー（＊，０，＃）を押下したときには第３振動機８３と第４振動機８４がともに振動し、第１行目のキー（１，２，３）を押下したときには第３振動機８３および第４振動機８４のいずれも振動しない。このように、各キー毎に振動を発生する振動機の組み合わせをそれぞれ設定しているので、操作部４の各キーに対してそれぞれ振動の大きさが異なる振動を発生させることができる。
【００１９】
このように第１の実施形態の携帯端末装置１によれば、振動部８に振動の大きさの異なる振動機８１〜８４を複数設けることにより、操作部４のどのキーを押下したのかが、振動の大きさの違いによって瞬時に感覚的に判断することができるため、特に視力障害者等が操作したキーを判断するのに有効である。
【００２０】
なお、以上の説明では、振動のみで操作キーを判別する例について説明したが、表示部６やスピーカ部５と併用し、数字を表示させたり効果音を発生させたりすることで、視覚的要素や聴覚的要素を併用することで、より判断を行い易くするようにしてもよい。
【００２１】
（第２の実施形態）
図３は本発明の第２の実施形態に係る携帯端末装置のブロック図である。第２の実施形態の携帯端末装置２１は、非接触ＩＣ通信部（非接触ＩＣカード部）２９を利用して取引を行ったときの残高を複数段階に区分して、その残高区分を振動によって報知するようにしたものである。
【００２２】
この携帯端末装置２１は、各種動作を制御する制御部２２と、図示しない外部リーダ／ライタと無線通信を行う無線装置２９１を備える非接触型ＩＣ通信部（非接触ＩＣカード部）２９と、各種情報を表示する表示部２６と、各種情報を記憶する記憶部２７と、この携帯端末装置２１に振動を与える振動部２８とを有して構成される。振動部２８は、第１振動機２８１とこの第１振動機２８１よりも振動が大きい第２振動機２８２とを備えている。
【００２３】
図４は第２の実施形態に係る携帯端末装置の動作例を示す図である。ここでは、非接触ＩＣ通信部２９を利用し、図示しない改札機や乗車券発売機等に設けられた外部リーダ／ライタとの間で運賃の精算を行う例を示している。
【００２４】
制御部２２は、非接触ＩＣ通信部２９の無線装置２９１によって取引がなされると、取引の内容、金額、取引後の残高（残金）を表示部２６に表示させるとともに、取引後の残高（残金）を３段階に区分して、残高（残金）の区分（多少）を振動の大きさによって報知させる。
【００２５】
具体的には、図４（ａ）に示すように、制御部２２は、残高（残金）が１０００円以上の場合、第１振動機２８１のみを動作させることで小さな振動を発生させ、取引を行ったことおよび残高（残金）が１０００円以上であることをユーザに認知させる。図４（ｂ）に示すように、制御部２２は、残高（残金）が１０００円未満で５００円以上の場合、第１振動機２８１よりも大きな振動を発生する第２振動機２８２のみを動作させることで、第１振動機２８１による振動よりも大きな振動を発生させ、取引を行ったことおよび残高（残金）が１０００円未満で５００円以上であることをユーザに認知させる。図４（ｃ）に示すように、制御部２２は、残高（残金）が５００円未満の場合、第１振動機２８１と第２振動機２８２とを同時に動作させることで、第２振動機２８１による振動よりもさらに大きな振動を発生させ、取引を行ったことおよび残高（残金）が５００円未満であることをユーザに認知させる。
【００２６】
なお、図４では、それぞれの振動機２８１，２８２について、波状の線によって振動を発生する振動機を示すとともに、携帯端末装置２１の左右に示した波状の線の数によって振動の大きさを表わしている。
【００２７】
このように第２の実施形態の携帯端末装置２１によれば、振動の大きさが異なる複数の振動機２８１，２８２を設けることにより、取引がなされたことを振動によって報知するとともに、取引後の残高（残金）がどの程度になったかを振動の大きさによって報知することができる。よって、携帯端末装置２１のユーザは、表示部２６を見なくても取引がなされたことを認知でき、さらに振動の大きさによって残高がどの程度であるかを瞬時に把握できる。
【００２８】
（第３の実施形態）
図５は本発明の第３の実施形態に係る携帯端末装置のブロック図である。第３の実施形態の携帯端末装置３１は、例えばデジタルカメラ、デジタルカメラ機能付携帯電話機、携帯型音楽再生装置等の携帯端末装置において、画像や音楽などのコンテンツのデータを保存する記憶部３７の残量に関する情報を振動によって報知するものである。
【００２９】
この携帯端末装置３１は、各種動作を制御する制御部３２と、撮像部，画像処理部，画像表示部等を備えるカメラ部３０と、操作部３４と、振動部３８とを有して構成される。振動部３８は、それぞれ振動の大きさが異なる第１振動機３８１と第２振動機３８２とを備えている。
【００３０】
制御部３２は、操作部３４によってデータ保存の操作がなされると、カメラ部３０で撮像した画像データを記憶部３７へ書き込むとともに、記憶部３７の残容量を管理する。制御部３２は、記憶部３７に画像データを書き込んだことによって、記憶部３７の残容量（または全容量に対する残容量の比率）が予め設定した第１の値以下になった場合は、第１振動機３８１を振動させる。また、制御部３２は、記憶部３７の残容量（または全容量に対する残容量の比率）が第１の値よりも小さい第２の値以下になった場合は、第２振動機３８２を振動させる。さらに、制御部３２は、カメラ部３０で撮像しようとしているデータの容量が記憶部３７の残容量を上回っている場合は、第１振動機３８１と第２振動機３８２とを同時に振動させる。
【００３１】
このように、第３の実施形態の携帯端末装置３１では、記憶部３７の残容量を小さい振動と大きい振動の２段階に分けて報知するとともに、残容量よりもデータの容量が大きい場合は、２つの振動機３８１，３８２を同時に駆動することでさらに大きな振動を発生させ、データを記憶させることができないことを報知する。これによって、携帯端末装置３１の使用者は、振動の大きさによって記憶部３７の残容量を瞬時に把握できる。
【００３２】
上述したように、本実施形態によれば、複数の振動機を設けて大きさが異なる振動を複数種類発生可能とし、報知する情報に応じて振動の大きさを変えることによって、携帯端末装置の使用者は触覚等の感覚によって瞬時にして各種情報を識別することができる。
【産業上の利用可能性】
【００３３】
本発明は、振動手段を用いて触覚等の感覚によって瞬時にして各種情報を識別させることが可能となる効果を有し、振動により報知を行うバイブレーション機能を有する携帯端末装置等に有用である。
【図面の簡単な説明】
【００３４】
【図１】本発明の第１の実施形態に係る携帯端末装置のブロック図
【図２】第１の実施形態の携帯端末装置における操作部の各キーと各キーが操作されたときの振動を発生する各振動機との関係を示す図
【図３】本発明の第２の実施形態に係る携帯端末装置のブロック図
【図４】第２の実施形態に係る携帯端末装置の動作例を示す図
【図５】本発明の第３の実施形態に係る携帯端末装置のブロック図
【図６】従来の振動により情報の表示を行うバイブレーション機能を有する携帯端末装置の一構成例を示す図
【符号の説明】
【００３５】
１、２１、３１  携帯端末装置
２、２２、３２  制御部
３  無線部
４、３４  操作部
５  スピーカ部
６、２６  表示部
７、２７、３７  記憶部
８、２８、３８  振動部
２９  非接触ＩＣ通信部
２９１  無線装置
３０  カメラ部
８１、２８１、３８１  第１振動機
８２、２８２、３８２  第２振動機
８３  第３振動機
８４  第４振動機
【図１】
2006157642.tif 000003
【図２】
2006157642.tif 000004
【図３】
2006157642.tif 000005
【図４】
2006157642.tif 000006
【図５】
2006157642.tif 000007
【図６】
2006157642.tif 000008